(57)【要約】【課題】表示部全体が発光される押しボタンスイッチ装置と、押下するごとに発光される表示部が切り換わる押しボタンスイッチ装置を共通の金型および部品で形成する。【解決手段】第１表示部７０および第２表示部７１を有するキートップ３と、キートップ３が係止されるスイッチ基板４と、スイッチ基板４に切換スイッチ５と複数のＬＥＤ６とを設け、ＬＥＤ６は第１表示部７０下方に白色以外の発光色の第１ＬＥＤ６１と白色の発光色の第２ＬＥＤ６２とが設けられ、第２表示部７１下方に白色以外の発光色の第３ＬＥＤ６３と白色の発光色の第４ＬＥＤ６４とが設けられ、切換スイッチ５の切換えに合わせ、第１ＬＥＤ６１または第３ＬＥＤ６３のいずれを発光させるとともに、第１ＬＥＤ６１を発光させる時は第４ＬＥＤ６４を同時に発光させ、第３ＬＥＤ６３を発光させる時は第２ＬＥＤ６２を同時に発光させる。【選択図】図６
2013247005.tif 000002
【特許請求の範囲】
【請求項１】
光を透過させるケースと、前記ケースを覆う透明のカバーと、前記ケースと前記カバーに挟まれ、少なくとも第１表示部および第２表示部を示すとともに光拡散処理が施されたシートとからなるキートップと、前記キートップが係止されるスイッチ基板と、前記スイッチ基板上に、前記キートップの押下により操作機器の動作を切り換える切換スイッチと、複数のＬＥＤとを設けた押しボタンスイッチ装置において、
前記ＬＥＤは前記第１表示部下方の前記スイッチ基板上に、白色以外の発光色の第１ＬＥＤと白色の発光色の第２ＬＥＤとが設けられるとともに、前記第２表示部下方の前記スイッチ基板上に、白色以外の発光色の第３ＬＥＤと白色の発光色の第４ＬＥＤとが設けられ、
前記切換スイッチの切換えに合わせ、第１ＬＥＤまたは第３ＬＥＤのいずれかを発光させるとともに、第１ＬＥＤを発光させる時は第４ＬＥＤを同時に発光させ、第３ＬＥＤを発光させる時は第２ＬＥＤを同時に発光させることを特徴とする押しボタンスイッチ装置。
【請求項２】
前記第１ＬＥＤと前記第２ＬＥＤと前記第３ＬＥＤと前記第４ＬＥＤは複数個あり、前記第１ＬＥＤと前記第２ＬＥＤ、前記第３ＬＥＤと前記第４ＬＥＤがそれぞれ交互に配置されていることを特徴とする請求項１に記載の押しボタンスイッチ装置。
【発明の詳細な説明】
【技術分野】
【０００１】
本発明は、各種操作機器に用いられる押しボタンスイッチに関し、押しボタンスイッチを押下すると発光して動作中であることを示す押しボタンスイッチ装置に関するものである。
【背景技術】
【０００２】
各種操作機器に用いられる汎用タイプの押しボタンスイッチ装置において、1つの押しボタンスイッチを押下すると押しボタンスイッチの一部の表示部が発光して動作中であることを示し、更に押下すると押しボタンスイッチの別の表示部が発光して別の動作中であることを示す押しボタンスイッチ装置がある。これは押しボタンスイッチのケース内側に仕切板を設けることで表示部を分割し、発光中のランプの光が他の表示部に漏れないように形成されている。（例えば、特許文１参照）
【０００３】
しかし、押しボタンスイッチの表示部全体を発光させたい場合は、押しボタンスイッチのケース内側を仕切板で仕切ると他の表示部に光が届かないため、本来１つのＬＥＤで済むところを仕切板で形成される表示部ごとにＬＥＤを配置する必要が生じてコストが高くなる。また、ＬＥＤを増やしたくない場合は仕切板の無いケースを別に製作する必要が生じ、金型費や製造コストに影響を与えることになる。
【先行技術文献】
【特許文献】
【０００４】
【特許文献１】実開平４−２４２８号公報
【発明の概要】
【発明が解決しようとする課題】
【０００５】
本発明の課題は、上記問題点に鑑み、表示部全体が発光する押しボタンスイッチと、押下するごとに表示部が切換わる押しボタンスイッチを共通の金型および部品で形成することで、金型費や製造コストを掛けずに汎用性のある押しボタンスイッチ装置を提供するものである。
【課題を解決するための手段】
【０００６】
上記目的を達成する為に本発明は、光を透過させるケースと、前記ケースを覆う透明のカバーと、前記ケースと前記カバーに挟まれ、少なくとも第１表示部および第２表示部を示すとともに光拡散処理が施されたシートとからなるキートップと、前記キートップが係止されるスイッチ基板と、前記スイッチ基板上に、前記キートップの押下により操作機器の動作を切り換える切換スイッチと、複数のＬＥＤとを設けた押しボタンスイッチ装置において、
前記ＬＥＤは前記第１表示部下方の前記スイッチ基板上に、白色以外の発光色の第１ＬＥＤと白色の発光色の第２ＬＥＤとが設けられるとともに、前記第２表示部下方の前記スイッチ基板上に、白色以外の発光色の第３ＬＥＤと白色の発光色の第４ＬＥＤとが設けられ、
前記切換スイッチの切換えに合わせ、第１ＬＥＤまたは第３ＬＥＤのいずれかを発光させるとともに、第１ＬＥＤを発光させる時は第４ＬＥＤを同時に発光させ、第３ＬＥＤを発光させる時は第２ＬＥＤを同時に発光させることを特徴とする。
【０００７】
前記第１ＬＥＤと前記第２ＬＥＤと前記第３ＬＥＤと前記第４ＬＥＤは複数個あり、前記第１ＬＥＤと前記第２ＬＥＤ、前記第３ＬＥＤと前記第４ＬＥＤがそれぞれ交互に配置されていることを特徴とする。
【発明の効果】
【０００８】
本発明は、切換スイッチの切換えに合わせ、第１表示部下方の第１ＬＥＤまたは第２表示部下方の第３ＬＥＤのいずれかを発光させるとともに、第１ＬＥＤを発光させる時は第２表示部下方の第４ＬＥＤを同時に発光させ、第３ＬＥＤを発光させる時は第１表示部下方の第２ＬＥＤを同時に発光させることで、ケース内に光漏れを防止する仕切板を設けなくても第１表示部または第２表示部のいずれかだけが発光してると使用者に認識させることができ、表示部全体を発光させるキートップと共通の金型および部品で形成することが可能となり、金型費や製造コストを掛けずに汎用性のある押しボタンスイッチ装置となる。
【図面の簡単な説明】
【０００９】
【図１】本発明による押しボタンスイッチ装置を搭載した操作卓の図である。
【図２】本発明による押しボタンスイッチ装置の分解図である。
【図３】本発明による押しボタンスイッチ装置の断面図である。
【図４】単色に発光する押しボタンスイッチ装置の図であり（Ａ）はスイッチ基板レイアウト図で、（Ｂ）は発光した状態を示す図である。
【図５】本発明による押しボタンスイッチ装置のスイッチ基板レイアウト図である。
【図６】図５の押しボタンスイッチ装置が発光する際の図であり（Ａ）はスイッチ基板レイアウト図で、（Ｂ）は発光した状態を示す図である。
【図７】図５の押しボタンスイッチ装置が図６と異なる状態に発光する際の図であり（Ａ）はスイッチ基板レイアウト図で、（Ｂ）は発光した状態を示す図である。
【図８】押しボタンスイッチ装置の他の実施例を示し（Ａ）は発光した状態を示す図で、（Ｂ）はスイッチ基板レイアウト図である。
【発明を実施するための形態】
【００１０】
以下、本発明の実施の形態を、添付図面に基づいた実施例として詳細に説明する。
【実施例１】
【００１１】
押しボタンスイッチ装置１Ａ、１Ｂは防災操作卓や消防指令装置などの操作機器に用いられる。例えば図１に示す防災および行政を目的とした無線放送、無線電話の一括集中制御を行う防災操作卓２に用いられる。押しボタンスイッチ装置１Ａ、１Ｂを作業者が押下すると信号が防災操作卓２の制御部に送信され、防災操作卓２が動作し、動作に合わせ押しボタンスイッチ装置１Ａ、１Ｂが発光される。
【００１２】
押しボタンスイッチ装置１Ａ、１Ｂは、図２および図３に示すように、ケース３０と、ケース３０を覆うカバー３１と、ケース３０とカバー３１に挟まれたシート３２とからなるキートップ３と、キートップ３をスイッチ基板４に係止するキートップホルダー３３と、スイッチ基板４上に設けた切換スイッチ５０、５１と、複数のＬＥＤ６とからなる。
【００１３】
ケース３０はＬＥＤ６から発光される光を透過させる半透明の樹脂製であり、内側中央に切換スイッチ５０、５１を動作させるリブ３０ａが立設され、周囲にはフランジ３０ｂが設けられている。ケース３０は図２では直方体であるが形状はこれに限らず小判型でも円錐形でも良い。
【００１４】
シート３２はケース３０の天面と同形の半透明の樹脂製のシートであり、光拡散処理が施されケース３０を通過したＬＥＤ６の光を拡散させるフィルターの役割を担う。シート３２の表面には押しボタンスイッチ装置１Ａ、１Ｂの機能を表した文字または図柄の印刷３２ａが光を透過させない暗色で施されている。また、シート３２は樹脂製に限らず紙製でも良い。
押しボタンスイッチ装置１Ａでは、印刷３２ａが２段に分けて施されており、それぞれ第１表示部７０および第２表示部７１を示すようになっている。また、押しボタンスイッチ装置１Ｂでは、印刷３２ａは１つの第３表示部７２を示すようになっている。
押しボタンスイッチ１Ａ、１Ｂは、シート３２に印刷される文字または図柄を替えることで汎用可能な押しボタンスイッチとなる。
【００１５】
カバー３１は透明の樹脂製であり、ケース３０との間にシート３２を挟めてケース３０の表側全面を覆うようにケース３０に嵌め合わされることで、キートップ３が形成される。
【００１６】
キートップ３はキートップホルダー３３とケース３０のフランジ３０ｂを係合させ、キートップホルダー３３の脚部３３ａをスイッチ基板４に設けた基板孔４０に係止することでスイッチ基板４に取り付けられ押しボタンスイッチ装置１Ａ、１Ｂが構成される。
押しボタンスイッチ装置１Ａ、１Ｂは、防災操作卓２の操作面に設けたスイッチ用孔２０にスイッチ取付具２１により隙間なく取り付けられる。
【００１７】
図４（Ａ）は押しボタンスイッチ装置１Ｂのスイッチ基板４のレイアウト図である。スイッチ基板４には中央に切換スイッチ５０とその周囲に同色の発光色のＬＥＤ６０が設けられている。キートップ３を押下して切換スイッチ５０をＯＮさせるとＬＥＤ６０が発光し、光はシート３２で拡散されて図４（Ｂ）に示すように、第３表示部７２を光らせて印刷３２ａに示された機能が動作中であることを使用者に通知する。
続けてもう一度キートップ３を押下すると切換スイッチ５０はＯＦＦに切換わりＬＥＤ６０は消灯する。
【００１８】
一方、図５は本発明の押しボタンスイッチ装置１Ａのスイッチ基板４のレイアウト図である。スイッチ基板４には中央に切換スイッチ５１が設けられている。またシート３２の第１表示部７０下方のスイッチ基板４上には白色以外の発光色の第１ＬＥＤ６１と白色の発光色の第２ＬＥＤ６２が設けられている。さらに、シート３２の第２表示部７１下方のスイッチ基板４上には白色以外の発光色の第３ＬＥＤ６３と白色の発光色の第４ＬＥＤ６４とが設けられている。
第１ＬＥＤと第３ＬＥＤは同色の発光色のＬＥＤでも良い。また、互いに区別のつきやすい異なった発光色のＬＥＤとしても良い。例えば、第１ＬＥＤ６１を赤色の発光色とした場合は、第３ＬＥＤ６３は赤色の補色である緑色の発光色とする。
図５では、第１ＬＥＤ６１と第２ＬＥＤ６２と第３ＬＥＤ６３と第４ＬＥＤ６４は複数個あり、第１ＬＥＤ６１と第２ＬＥＤ６２、第３ＬＥＤ６３と第４ＬＥＤ６４がそれぞれ交互に一列に配置されている。
第２ＬＥＤ６２と第４ＬＥＤ６４は発光した際に第１ＬＥＤ６１と第３ＬＥＤ６３よりも強い光とならないように個数や照度を調整する。
【００１９】
切換スイッチ５１は、押下する度に操作機器の動作を切り換えるトグルスイッチであり、防災操作卓２においては、放送のモニタ先を切換えるもので、押下する度に防災操作卓２から発信される放送内容を「防災操作卓側」→「他の装置側」→「放送停止」→「防災操作卓側」→「他の装置側」→「放送停止」と切換える。
キートップ３を一度押下すると切換スイッチ５１は防災操作卓２から発信される放送のモニタ先を「放送停止」から「防災操作卓側」に切換え、図６（Ａ）に実線で示された第１ＬＥＤ６１と第４ＬＥＤ６４を発光させる。発光された光はシート３２で拡散されて図６（Ｂ）に示すように、第１表示部７０を第１ＬＥＤ６１の色で発光させるとともに、第２表示部７１を第４ＬＥＤ６４の白色で発光させる。第１表示部７０が白色以外の例えば赤色で発光し、第２表示部７１が第４ＬＥＤ６４の白色で発光すると使用者は第１表示部７０の印刷３２ａに示された『自局』を認識することになる。
【００２０】
さらにキートップ３を一度押下すると切換スイッチ５１は防災操作卓２から発信される放送のモニタ先を「防災操作卓側」から「他の装置側」に切換え、図７（Ａ）に実線で示された第３ＬＥＤ６３と第２ＬＥＤ６２を発光させる。発光された光はシート３２で拡散されて図７（Ｂ）に示すように、第１表示部７０を第２ＬＥＤ６２の白色で発光させるとともに、第２表示部７１を第３ＬＥＤ６３の色で発光させる。第２表示部７１が白色以外の例えば緑色で発光し、第１表示部７０が第２ＬＥＤ６２の白色で発光すると使用者は第２表示部７１の印刷３２ａに示された『他局』を認識することになる。
【００２１】
図６（Ｂ）では、キートップ３を一度押下して切換スイッチ５１を切換えると第１表示部７０『自局』という印刷３２ａの文字の周囲が第１ＬＥＤ６１で赤色に発光するとともに、第２表示部７１『他局』という印刷３２ａの文字の周囲が第４ＬＥＤ６４で白色に発光する。この状態では防災操作卓側から放送されていることを示している。
図７（Ｂ）では、キートップ３をもう一度押下して切換スイッチ５１を切換えると第２表示部７１『他局』という印刷３２ａの文字の周囲が第３ＬＥＤ６３で緑色に発光するとともに、第１表示部７０『自局』という印刷３２ａの文字の周囲が第２ＬＥＤ６２で白色に発光する。この状態では他の装置側から放送されていることを示している。
さらにもう一度押すと、放送停止となりＬＥＤ６は消灯する。
【００２２】
上記のように、切換スイッチ５を押下することで第１表示部７０または第２表示部７１の下方に設けられた白色以外の発光色の第１ＬＥＤ６１または第３ＬＥＤ６３のいずれかを発光させるとともに、第１ＬＥＤ６１を発光させる時は第４ＬＥＤ６４を同時に発光させ、第３ＬＥＤ６３を発光させる時は第２ＬＥＤ６２を同時に発光させることで、従来例のようにケース３０内に光漏れを防止する仕切板を設けなくても、第１表示部または第２表示部のいずれかの表示部だけが発光されていると認識させることができる。
さらに押しボタンスイッチ２をもう一度押下すると、これまで白色で発光されていた第１表示部または第２表示部のいずれかの表示部が白色以外の色でくっきり発光されるとともに、これまで白色以外の色で発光されていた第１表示部または第２表示部のいずれかの表示部が白色で発光されることで、防災操作卓２の動作が切り換わったことがはっきり認識可能となる。
また、表示部全体が発光される押しボタンスイッチ装置１Ｂと共通の金型および部品で形成することが可能となり、金型費や製造コストを掛けずに汎用性のある押しボタンスイッチ装置となる。
【実施例２】
【００２３】
実施例１では、押しボタンスイッチ装置１Ａの印刷３２ａが２段に分けて施され、２つの表示部を示しているが、表示部の数はこれに限らず、例えば図８（Ａ）のようにキートップ３の押下により操作機器の動作を切り換える数に合わせ、第４-１表示部７３、第４-２表示部７４、第４-３表示部７５、第４-４表示部７６の４つの表示部を設けても良い。そして、キートップ３を押下して切換スイッチ５２を切換えると第４-１表示部７３の『Ａ』の印刷３２ａの文字の周囲を白色以外の発光色で発光させるとともに、第４-２表示部７４、第４-３表示部７５、第４-４表示部７６はすべて白色の発光色のＬＥＤで発光させる。
同様にキートップ３を押下して切換スイッチ５２を切換えると第４-２表示部７４、第４-３表示部７５、第４-４表示部７６のいずれか１つが白色以外の発光色で発光させ、その他の表示部はすべて白色で発光させる。
この場合は図８（Ｂ）のスイッチ基板４のレイアウト図にあるように、第４−１表示部７３下方のスイッチ基板４上には白色以外の発光色の第１ＬＥＤ６１と白色の発光色の第２ＬＥＤ６２が設けられ、第４−２表示部７４下方のスイッチ基板４上には白色以外の発光色の第３ＬＥＤ６３と白色の発光色の第４ＬＥＤ６４が設けられ、第４−３表示部７５下方のスイッチ基板４上には白色以外の発光色の発光色の第５ＬＥＤ６５と白色の発光色の第６ＬＥＤ６６が設けられ、第４−４表示部７５下方のスイッチ基板４上には白色以外の発光色の第７ＬＥＤ６７と白色の発光色の第８ＬＥＤ６８が設けられている。
第１ＬＥＤ６１と第３ＬＥＤ６３と第５ＬＥＤ６５と第７ＬＥＤ６７は同色の発光色のＬＥＤでも良い。また、互いに区別のつきやすい異なった発光色のＬＥＤとしても良い。
尚、第１ＬＥＤ６１、第３ＬＥＤ６３、第５ＬＥＤ６５、第７ＬＥＤ６７のいずれかと、第２ＬＥＤ６２、第４ＬＥＤ６４、第６ＬＥＤ６６、第８ＬＥＤ６８は点灯した場合、第２ＬＥＤ６２、第４ＬＥＤ６４、第６ＬＥＤ６６、第８ＬＥＤ６８が発光される表示部の方が広い面積となることで、動作中を示す表示部と間違って認識されないようにＬＥＤの個数や照度を調整する必要がある。
【００２４】
以上により、表示部全体が発光される押しボタンスイッチ装置１Ｂと、二つの表示部を切換えて発光される押しボタンスイッチ装置１Ａと、複数の表示部を切換えて発光される押しボタンスイッチ装置１Ｃが共通の金型および部品で形成することが可能となり、金型費や製造コストを掛けずに汎用性のある押しボタンスイッチ装置となる。
【符号の説明】
【００２５】
１Ａ、１Ｂ、１Ｃ：押しボタンスイッチ装置
２    ：防災操作卓
３    ：キートップ
３０  ：ケース
３１  ：カバー
３２  ：シート
３２ａ：印刷
３３  ：キートップホルダー
４    ：スイッチ基板
５０、５１、５２：切換スイッチ
６、６０：ＬＥＤ
６１  ：第１ＬＥＤ
６２  ：第２ＬＥＤ
６３  ：第３ＬＥＤ
６４  ：第４ＬＥＤ
７０  ：第１表示部
７１  ：第２表示部
７２  ：第３表示部
【図１】
2013247005.tif 000003
【図２】
2013247005.tif 000004
【図３】
2013247005.tif 000005
【図４】
2013247005.tif 000006
【図５】
2013247005.tif 000007
【図６】
2013247005.tif 000008
【図７】
2013247005.tif 000009
【図８】
2013247005.tif 000010